(57)【要約】【課題】  覗き見防止性能に優れるとともに安価に製造できて汎用性に富む覗き見防止フィルムを提供する。【解決手段】  多層構造で内部反射光の干渉により発色機能を有する透光性樹脂フィルム３が、光遮断用の顔料７ａが混入された接着剤層７を介して透光性ベースフィルム４上に一体に積層固着されてなる覗き見防止フィルム。【選択図】  図３
2006168335.tif 000002
【特許請求の範囲】
【請求項１】
多層構造で内部反射光の干渉により発色機能を有する透光性樹脂フィルムが、光遮断用の顔料が混入された接着剤層を介して透光性ベースフィルム上に一体に積層固着されてなることを特徴とする覗き見防止フィルム。
【発明の詳細な説明】
【技術分野】
【０００１】  この発明は、携帯電話機やコンピュータ等の表示画面に装着使用される覗き見防止フィルムに関する。
【背景技術】
【０００２】  携帯電話機やコンピュータの表示画面が側方から覗き込まれることがないように、最近ではその表示画面に覗き見防止フィルムを貼ることが行なわれている。しかしながら現状のものは非常に高価であり汎用性に乏しい。
【発明の開示】
【発明が解決しようとする課題】
【０００３】  この発明は、覗き見防止性能に優れるとともに安価に製造できて汎用性に富む覗き見防止フィルムを提供することを目的とする。
【課題を解決するための手段】
【０００４】  この発明の覗き見防止フィルムは、多層構造で内部反射光の干渉により発色機能を有する透光性樹脂フィルムが、光遮断用の顔料が混入された接着剤層を介して透光性ベースフィルム上に一体に積層固着されてなる構成を備える。【０００５】  上記構成によれば、透光性樹脂フィルムにおいて光干渉による発色があり、この発色は通常透光性樹脂フィルムを真上位置から見るより斜め方向位置から見た際（覗き見動作に相当）に顕著に確認され、この発色により透光性樹脂フィルムの斜め方向位置から見た際の透視度が低下されて覗き見防止機能が発揮される。【０００６】  上記の発色が透光性樹脂フィルムを真上位置から見た場合より斜め方向位置から見た場合の方が顕著に確認されるのは、次の理由によるものと考えられる。すなわち、発色現象は透光性樹脂フィルムへの表面からの入射光が積層構造を通過する際に各積層面で異なる方向に反射され、それら反射光が互いに干渉することで起こり、真上位置から透光性樹脂フィルム面上を見る場合、通常真上位置には見る者の頭等があることでそれに遮られて斜め方向位置から見るより入射光量が減少し、それに伴って反射光も減少して光の干渉が起こりにくくなるからである。【０００７】  また、接着剤層内を光が接着剤層面方向に対して直交する方向に進む場合と傾斜する方向に進む場合では後者の方が接着剤層内における経路が長くなる分混入される黒色等の光遮断用の顔料に遮断される光量が多くなる。その結果、斜め方向より見た際の方が接着剤層の透視度が低くなって覗き見防止機能が発揮される。【０００８】  上記透光性樹脂フィルムと接着剤層それぞれにおける覗き見防止機能が合わせ発揮されることでこの発明の覗き見防止フィルムは優れた覗き見防止性能を有する。
【発明の効果】
【０００９】  この発明によれば、多層構造で光干渉により発色機能を有する透光性樹脂フィルムが光遮断用の顔料が混入された接着剤層を介して透光性ベースフィルム上に貼られた構成によって覗き見防止性能に優れるフィルムが得られ、これにより安価に製造できて汎用性に富む覗き見防止フィルムが提供できるようになる。
【発明を実施するための最良の形態】
【００１０】  図１はこの発明の覗き見防止フィルムを用いた携帯電話機装着用の物品の外観斜視図、図２はその積層構成説明図である。【００１１】  物品１はポリエステル製の透光性保護用フィルム（厚み２１μｍ）２と、透光性樹脂フィルムとしてのマルチライヤーフィルム（例えば帝人株式会社製  厚み１９μｍ）３と、ポリエステル製の透光性ベースフィルム（厚み１８８μｍ）４とが順次上方から透光性のアクリル系接着剤層（厚み２０μｍ）６、７を介して積層固定され、さらに、透光性ベースフィルム４の下面に透光性粘着剤層８を介してポリエチレン製の離形シート９が貼り付けられて構成されている。マルチライヤーフィルム３の上面にはオフセット印刷によるデザイン模様１０が付されている。物品１は離形シート９が剥されてその透光性粘着剤層８面が携帯電話機の表示面に貼り付けられて使用される。上記のマルチライヤーフィルム３と接着剤層７と透光性ベースフィルム４とによりこの発明の覗き見防止フィルムが構成される。【００１２】  以下、図３の拡大断面構成図により覗き見防止フィルムの詳細構成、さらにその覗き見防止機能について説明する。【００１３】  マルチライヤーフィルム３は多層構造で、例えばポリエステルとナイロンの２種の屈折率の異なる樹脂層が交互に６０層程度積層されて構成されたもので、マルチライヤーフィルム３表面からの入射光Ｘはその積層構造を通過する際に各積層面で異なる方向に反射され、それら反射光Ｘが互いに干渉することで発色する。【００１４】  接着剤層７には光遮断用の黒色の顔料（粒子）７ａが、例えば、０．４重量％の割合において混入されこの接着剤層７を通過する光はその顔料７ａに一部が遮られる。接着剤層７面に対して直交する方向に進む光より斜め方向に進む光の方がその接着剤層７内経路が長くなる（Ｌ１＜Ｌ２）ことで顔料７ａに衝突する割合が多くなる。なお、上記接着剤層６にはデザイン模様１０が物品の表面から明瞭に見えるように黒色の顔料は混入されていない。【００１５】  覗き見防止フィルムが携帯電話機の表示画面上に貼られて使用された場合、その下方からの表示光は直交する方向、傾斜する方向それぞれにおいて覗き見防止フィルム内に侵入するが、直交する方向において侵入した表示光Ｙ１は接着剤層７内において経路Ｌ１が短いことで顔料７ａにあまり遮られず、また、真上位置Ａから見た際にはマルチライヤーフィルム３があまり発色していないことでその表示光Ｙ１を十分に目視できる。【００１６】  これに対して、傾斜する方向において侵入した表示光Ｙ２は接着剤層７内において経路Ｌ２が長くなることで顔料７ａに遮られる割合が多く、また、斜め方向位置Ｂから見た際にはマルチライヤーフィルム３が反射光ｘの干渉より発色していることで、斜め方向位置Ｂからは表示光Ｙ２を十分に目視できない。すなわち、斜め方向位置Ｂから見た場合には覗き見防止フィルムは接着剤層７、マルチライヤーフィルム３の透視度がともに低下する状態となることで表示光Ｙ２の黙視が困難となる。なお、図３において表示光Ｙ１、Ｙ２は屈折、反射の動作を省略した基本光路において示している。【００１７】  上記のように斜め方向位置Ｂからの表示光Ｙ２の目視が十分にできないことで覗き���防止機能が発揮され、この点は実施品の目視テストにより確認されている。
【図面の簡単な説明】
【図１】  この発明の覗き見防止フィルムを用いて構成される物品の実施形態の斜視図
【図２】  この発明の覗き見防止フィルムを用いて構成される物品の実施形態の積層構成説明図
【図３】  この発明の覗き見防止フィルムの実施形態の拡大断面構成図
【符号の説明】
３    マルチライヤーフィルム（透光性樹脂フィルム）
４    透光性ベースフィルム
７    接着剤層
７ａ  顔料（光遮断用の顔料）
【図１】
2006168335.tif 000003
【図２】
2006168335.tif 000004
【図３】
2006168335.tif 000005